(57)【要約】      （修正有）【課題】第１電力ケーブルと電界緩和層を有する第２電力ケーブルとを接続する充電部及び、第２電力ケーブルに触れないように、充電部及び第２電力ケーブルを覆って絶縁する絶縁カバーを提供する。【解決手段】この絶縁カバー１は、引込線１００を把持する把持部１０と、この把持部１０の上部に設けられたテープ取付代部２０と、把持部１０の下部に設けられたスカート部３０とを備えている。この絶縁カバー１は、把持部１０で引込線１００を把持させて固定したときに、引込線１００と高圧ケーブル１１０とを接続する充電部１２０及び高圧ケーブル１１０に触れないように重量のバランスが取られている。そのため、この絶縁カバー１を用いると充電部１２０及び電界緩和層１１９を有する高圧ケーブル１１０に触れないように、これら充電部１２０及び高圧ケーブル１１０を覆って絶縁することができる。【選択図】図６
2010238402.tif 000002
【特許請求の範囲】
【請求項１】
筒状に形成されるとともに軸方向に沿って切割が形成され、該切割を開いて電力線を接続する充電部を内部に挿入して、前記充電部を被包する弾性変形可能な材料で形成された絶縁カバーにおいて、
前記充電部で接続される一方の第１電力線を把持する把持部と、
前記充電部で接続される他方の第２電力線のうち前記充電部に連続する一部、及び、前記充電部を、前記充電部及び前記第２電力線から一定距離だけ離して被包するスカート部とを有し、
前記充電部の上方に位置する前記第１電力線を前記把持部に把持させたときに、前記充電部及び前記充電部の下方に位置する前記第２電力線に前記スカート部が接触しないように重量のバランスが調整されていることを特徴とする絶縁カバー。
【請求項２】
請求項１記載の絶縁カバーにおいて、
前記把持部は、筒状に形成され、
前記第１電力線を嵌挿可能な内径を有し、
断面略多角形状に形成された外周面を有することを特徴とする絶縁カバー。
【請求項３】
請求項１〜２の何れかに記載の絶縁カバーにおいて、
前記スカート部の内部から前記切割を覆うリブ部を備えることを特徴とする絶縁カバー。
【請求項４】
請求項１〜３の何れかに記載の絶縁カバーにおいて、
前記把持部から見て前記スカート部が形成された側とは反対側に形成され、前記第１電力線を嵌挿可能な筒状に形成され、前記第１電力線から連続してテープを巻回可能な肉厚に形成されたテープ取付代部を備えることを特徴とする絶縁カバー。
【請求項５】
請求項４に記載の絶縁カバーにおいて、
前記テープ取付代部と前記把持部との境目部分の肉厚が、前記テープ取付代部の肉厚に比べて厚く形成されていることを特徴とする絶縁カバー。
【発明の詳細な説明】
【技術分野】
【０００１】
本発明は、電力線を接続する充電部を絶縁する絶縁カバーに関する。
【背景技術】
【０００２】
従来、引込線と高圧ケーブルの接続部分である充電部を絶縁するため、この充電部を絶縁カバーで被包し、この絶縁カバーの両端を、引込線及び高圧ケーブルにテープを巻回して固定していた（特許文献１）。
【０００３】
一方、近年の高圧ケーブルの端末部分には、高圧ケーブルの端末部分で発生する電界集中を防止するため、チューブ状のゴム製の電界緩和層が取り付けられることが多くなっている。
【発明の概要】
【発明が解決しようとする課題】
【０００４】
しかし、絶縁カバーを固定するため、電界緩和層上でテープを巻回すると、電界緩和層が変形し、電界緩和層の電界集中を防止する効果が低下してしまうおそれがあった。
また、絶縁カバーは一般にゴム製なので、この絶縁カバーがゴム製の電界緩和層に触れると電界が乱れ、電界緩和層の電界集中を防止する効果が低下してしまうおそれがあった。
【０００５】
そこで本発明は、電界緩和層が設けられている部分に触れないように充電部を被包可能な絶縁カバーを提供することを目的とする。
【課題を解決するための手段】
【０００６】
かかる問題を解決するためになされた請求項１に記載の発明は、筒状に形成されるとともに軸方向に沿って切割が形成され、該切割を開いて電力線を接続する充電部を内部に挿入して、前記充電部を被包する弾性変形可能な材料で形成された絶縁カバーにおいて、前記充電部で接続される一方の第１電力線を把持する把持部と、前記充電部で接続される他方の第２電力線のうち前記充電部に連続する一部、及び、前記充電部を、前記充電部及び前記第２電力線から一定距離だけ離して被包するスカート部とを有し、前記充電部の上方に位置する前記第１電力線を前記把持部に把持させたときに、前記充電部及び前記充電部の下方に位置する前記第２電力線に前記スカート部が接触しないように（スカート部が充電部及び第２電力線と一定の距離を保って被包するように）重量のバランスが調整されていることを特徴とする。
【０００７】
本発明の絶縁カバーは、切割を開けば、すでに接続された第１電力線と第２電力線との充電部を被包可能な位置に取り付けることができる。そして、この取り付け後、開いた切割を閉じれば、充電部を被包することができる。
【０００８】
また、本発明の絶縁カバーは、把持部に第１電力線を把持させれば、第２電力線側の端部をテープ等で止めなくても、充電部を被包する位置に確実に固定することができる。
また、本発明の絶縁カバーは、スカート部に充電部を被包させた状態で把持部に第１電力線を把持させたとき、スカート部が把持部を支点に振れないように、重量のバランスが調整されている。そのため、この絶縁カバーは、上方から下方に向かって第１電力線、充電部、第２電力線の順に配置されている場合に、スカート部に充電部を被包させ、把持部に第１電力線を把持させると、スカート部が充電部または第２電力線に触れることがないように、充電部を安定的に被包することができる。
【０００９】
従って、本発明の絶縁カバーを用いると、第２電力線の端末部分に電界緩和層が設けられていても、この電界緩和層に触れないように充電部を安定的に被包することができる。
尚、本発明の絶縁カバーのスカート部の大きさは、充電部または第２電力線と充電部との間で保つべき距離が、送電する電力の大きさで変わってくるので、この送電する電力の大きさに応じて変更すればよい。
【００１０】
また、重量のバランスは、例えばスカート部の肉厚を変えて重さを調整するなど、どのような方法で調整してもよい。
次に、請求項２に記載したように、把持部は、筒状に形成され、第１電力線を嵌挿可能な内径を有し、断面略多角形状に形成された外周面を有することが好ましい。本発明では、絶縁カバーが弾性変形可能な材料で構成されているので、この把持部も弾性変形可能な材料で構成されている。また、この把持部にも切割が設けられている。そのため、切割を開くと把持部は弾性変形して、第１電力線を把持部の内部に挿入することができ、第１電力線を内部に挿入して切割を閉じると、把持部が、第１電力線を嵌挿可能な内径で形成されているので、第１電力線を確実に把持することができる。
【００１１】
また、この把持部は、第１電力線を把持するものなので、それに必要な肉厚となるが、本発明のように外周面を断面略多角形状に形成すれば、外周面を円筒形状に形成した場合に比べ小さい力で切割を開くことができ、その一方で、第１電力線を把持したとき、円筒状に形成されたものと比較して遜色のない力で、第１電力線を把持することができる。
【００１２】
次に、請求項３に記載したように、本発明の絶縁カバーは、スカート部の内部から切割を覆うリブ部を備えてもよい。このようにすれば、本発明の絶縁カバーにより外部から見て隙間なく充電部を覆って、この充電部を絶縁することができる。尚、このリブ部は、スカート部と一体に形成されていてもよいし、別体に形成されていてもよい。
【００１３】
次に、請求項４に記載したように、本発明の絶縁カバーは、把持部から見てスカート部が形成された側とは反対側に形成され、第１電力線を嵌挿可能な筒状に形成され、第１電力線から連続してテープを巻回可能な肉厚に形成されたテープ取付代部を備えることが好ましい。このテープ取付代部を用いれば、テープ取付代部と第１電力線との周りに連続して絶縁テープ等を巻回することで、本発明の絶縁カバーをテープ止めすることができる。このようにすれば、本発明の絶縁カバーを第１電力線に対してより確実に固定することができる。
【００１４】
次に、請求項５に記載したように、テープ取付代部側と把持部との境目部分の肉厚を、テープ取付代部の肉厚に比べて厚く形成することが好ましい。本発明の絶縁カバーは、充電部の点検のため、スカート部をまくり上げることがあるが、そのときテープ取付代部と把持部との境目部分に、これらを裂く力が働く。しかし、この請求項５のように構成すると、テープ取付代部側と把持部との境目部分の肉厚が、テープ取付代部の肉厚に比べて厚く形成されているので、テープ取付代部側と把持部とが裂けることを防止することができる。
【図面の簡単な説明】
【００１５】
【図１】本実施形態の絶縁カバーの側面図である。
【図２】図１の矢印Ａ方向から見た本実施形態の絶縁カバーの斜視図である。
【図３】図１の矢印Ｂ方向から見た本実施形態の絶縁カバーの側面図である。尚、帯部４０については、切割３との区別をしやすくするため黒で塗りつぶしている。
【図４】本実施形態の絶縁カバーのスカート部分を捲り上げた様子を示す模式図である。
【図５】図１のＣ−Ｃ’断面図である。
【図６】切割を通る軸方向に沿った断面で切断した図２のＤ−Ｄ’断面図である。
【図７】本実施形態の絶縁カバーが備えるスペーサ部材の側面図である。
【図８】（ａ）は図７のＥ−Ｅ’断面図、（ｂ）はスペーサ部材を取り付けた絶縁カバー１の図１のＦ−Ｆ’断面に相当する断面図である。
【発明を実施するための形態】
【００１６】
以下に、本願発明が適用された実施形態について説明する。
〔全体構造〕
本実施形態の絶縁カバー１は、ゴム材を用いて一体成形されており、図１に示すように、軸方向に沿って上方から下方に向かって順に、テープ取付代部１０、把持部２０、スカート部３０を備え、図２に示すように、全体に略筒状に形成されている。
【００１７】
また、本実施形態の絶縁カバー１は、図３に示すように、テープ取付代部１０からスカート部３０まで、軸方向に沿って全長に渡って切割３が設けられている。そして、この切割３が設けられた部分のうち、把持部２０とスカート部３０に設けられた切割３を挟んだ両側には、一対の帯部４０が設けられている。
【００１８】
尚、切割３は、図３に示すように、テープ取付代部１０と把持部２０に設けられたものは、これらに対する切り込みによって形成され、スカート部３０に設けられたものは、矢印αとβの先端間で表したように、所定の幅を持って形成される。この幅は、後述する、スペーサ部５０の厚みと同じ幅となるように形成されている。
（テープ取付代部１０）
テープ取付代部１０は、後述する引込線１１０（図６参照）を嵌挿可能な内径の筒状に形成されている。また、このテープ取付代部１０は、引込線１１０から連続してテープを巻回可能な肉厚に形成されている。さらに、このテープ取付代部１０の外周面は、軸方向中央部分付近から把持部２０側とは反対側の端部に向かって先細りとなるテーパー部１０ａが形成されている。
【００１９】
また、テープ取付代部１０と把持部２０との境界部分１０ｂは、テープ取付代部１０の肉厚に比べて厚く形成されている。本実施形態の絶縁カバー１は、図４に示すように、スカート部３０を捲り上げることがあるが、このときに、テープ取付代部１０と把持部２０との境目部分に、これらを裂こうとする力が働く。しかし、本実施形態の絶縁カバー１は、この境界部分１０ｂが、テープ取付代部１０の肉厚に比べて厚く形成されているので、これらが裂けることを防止することができる。
（把持部２０）
本実施形態の絶縁カバー１の把持部２０は、図５に示すように、筒状に形成され、かつ、テープ取付代部１０と同軸状に形成されており、引込線１１０を嵌挿可能な内径を有し、断面略多角形状に形成された外周面を有する。また、この把持部２０は、テープ取付代部１０やスカート部３０と比較して肉厚に形成されている。
【００２０】
この把持部２０の外周面は、具体的には、軸方向に垂直な断面で見て把持部２０の中心軸を重心とする略正方形状に形成されている。尚、略正方形状と記載したのは、正方形の各頂点を結ぶ辺の中点部分が重心方向に向かって凹んでいるからである。
【００２１】
また、この把持部２０には、外周面のうち一つの頂点部分から中心軸に向かって切割３が設けられ、また、この切割３が設けられた頂点部分の切割３を挟んだ両側から前述した一対の帯部４０が、把持部２０の中心軸から切割３が設けられた頂点に向かう方向に沿って立設されている。
【００２２】
尚、把持部２０の内部空間を、以下、通し孔２２と呼ぶ。
（スカート部３０）
スカート部３０は、図６に示すように、引込線１００と、電界緩和層１１９が端末部分に設けられた高圧ケーブル１１０とを接続する充電部１２０を覆ったとき、充電部１２０と、この充電部１２０から一定距離分の引込線１００及び高圧ケーブル１１０とに触れずに、これらを覆うことができる大きさ及び形状に形成されている。
【００２３】
本実施形態では、引込線１００及び高圧ケーブル１１０は、それぞれの先端に設けられた羽子板端子を重ねてネジ止めすることによって接続されている。
スカート部３０は、この羽子板端子を重ねた充電部１２０と引込線１００、高圧ケーブル１１０から所定距離離れて覆うことができるように、その形に合わせた筒状に形成されている。
【００２４】
また、スカート部３０は、このスカート部３０に充電部１２０を被包させた状態で把持部２０に引込線１００を把持させたとき、スカート部３０が把持部２０を支点に振れないように、スカート部３０の厚みを位置によって変えて、重量のバランスが調整されている。
（帯部４０）
帯部４０は、図１に示すように、把持部２０とスカート部３０とに設けられた切割３を挟んだ両側に設けられ、各帯部４０は、把持部２０やスカート部３０の径方向に沿って所定幅で形成されるとともに、把持部２０及びスカート部３０の軸方向に沿って長尺にそれぞれ形成されている。
【００２５】
そして、各帯部４０には、長手方向に沿って所定間隔毎に形成された取付孔４１が複数形成されている。
（スペーサ部５０）
スペーサ部５０は、図７に示すように、帯状に形成された帯部５１と、図８に示すように、帯部５１に対し逆Ｔの字となるように、帯部５１の底に設けられたリブ部５２とで構成されている。
【００２６】
帯部５１は、図８（ａ）に示すように、一対の帯部４０の離間間隔とほぼ同じ厚みに形成されるとともに、図７に示すように、長手方向の長さは帯部４０とほぼ同じ長さ、略同じ幅で形成されている。そして、この帯部５１にも、帯部４０に設けられた取付孔４１よりも小径の複数の取付孔５３が設けられ、これらの取付孔５３は、帯部５１を一対の帯部４０の間に挟んだときに、これら帯部４０に設けられた取付孔４１と略同じ位置に設けられている。この帯部５１は、図８（ｂ）に示すように、帯部４０が切割３を挟んで配置された幅と同じ幅で形成されている。
【００２７】
このスペーサ部５０を帯部４０の間に挟むと、スカート部３０の内側から切割３がリブ部５２によって覆われる。
〔取付方法〕
ビル等の電力を大量に消費する施設では、外部からビル内に引き込んだ引込線１００と、ビル内に設置された変圧器等の電力設備から延設された高圧ケーブル１１０とを、ビル内で接続している。
【００２８】
そして、図６に示すように、引込線１００については、これらの接続点に対し上方から引き込み、高圧ケーブル１１０については、これらの接続点に対し下方から引き込んで、引込線１００と高圧ケーブル１１０とを接続する配線工事が一般的に行われている。
【００２９】
本実施形態の絶縁カバー１は、このようにすでに接続された引込線１００と高圧ケーブル１１０との接続点部分を構成する充電部１２０を覆って絶縁するものである。
本実施形態の絶縁カバー１は、切割３を開けば、上述のようにすでに接続された引込線１００と高圧ケーブル１１０との接続点部分を構成する充電部１２０を被包可能な位置に取り付けることができる。そして、この取り付け後、開いた切割３を閉じれば、充電部１２０を被包することができる。
【００３０】
また、把持部２０に形成された切割３を開いて把持部２０の通し孔２２部分に引込線１００を挿入し切割３を閉じれば、把持部２０に引込線１００を把持させることができる。さらに、テープ取付代部１０に形成された切割３を開いてこのテープ取付代部１０内に引込線１００を挿入し切割３を閉じれば、引込線１００はテープ取付代部１０内に嵌合されるので、このテープ取付代部１０と引込線１００の周りに絶縁テープを連続して巻けば、絶縁カバー１を引込線１００に留めることができる。
【００３１】
次に、スカート部３０の内側にスペーサ部５０のリブ部５２が配置されるように、スペーサ部５０の帯部５１を、一対の帯部４０の間に挟む。すると、このスペーサ部５０のリブ部５２により、切割３を介して外側からスカート３０内が見えないように、目隠しをすることができる。
【００３２】
そして、スペーサ部５０の帯部５１と帯部４０とに設けられた取付孔４１，５３に留めボタンを通せば、帯部５１が一対の帯部４０に挟持された状態でこれら帯部４０，５１を留めて切割３を閉じることができる。
〔本実施形態の絶縁カバー１の特徴的な作用・効果〕
上述のように構成された絶縁カバー１を上述のように取り付けると、以下のような作用・効果がある。
【００３３】
本実施形態の絶縁カバー１は、把持部２０に引込線１００を把持させ、テープ取付代部１０を引込線１００にテープ留めすれば、その位置で固定されるので、充電部１２０を被包する位置に確実に固定することができる。
【００３４】
また、本実施形態の絶縁カバー１は、スカート部３０に充電部１２０を被包させた状態で把持部２０に引込線１００を把持させたとき、スカート部３０が把持部２０を支点に振れないように、重量のバランスが調整されている。そのため、この絶縁カバー１は、スカート部が充電部１２０を被包し、把持部２０が引込線１００を把持するように取り付けられた後、スカート部３０が振れて、このスカート部３０が充電部１２０または高圧ケーブル１１０に触れてしまうことがないように、充電部１２０を安定的に被包することができる。
【００３５】
従って、本実施形態の絶縁カバー１を用いると、高圧ケーブル１１０の端末部分に電界緩和層１１９が設けられていても、この電界緩和層１１９に触れないように充電部１２０を安定的に被包することができる。
【００３６】
また、把持部２０は、断面略四角形状に形成され、さらに正方形の各辺の中点に相当する部分が正方形の重心方向に向かって凹んだ形状をしているので、各辺の中点部分で弾性変形しやすく、作業員でも容易に切割３を開いて引込線１００を把持部２０内に挿入することができる。一方、この把持部２０は、引込線１００を挿入してしまえば、引込線１００を挿入するときに切割３を押し広げるのに必要な弾性力と、把持部２０の形状によって引込線１００を把持しようとする力によって、引込線１００を強固に把持することができる。
【００３７】
また、本実施形態の絶縁カバー１は、スペーサ部５０を、このスペーサ部５０のリブ部５２でスカート部３０の内部から切割３を覆っているので、外部から見て充電部１２０を隙間なく絶縁することができる。
【００３８】
本発明は、特許請求の範囲に記載された発明の趣旨に合致するものであればよく、上述の実施形態に限定されるものではない。
尚、上記実施形態では、リブ部５２をスカート部３０とは別体のスペーサ部５０に形成したが、このリブ部５２は、スカート部３０に取り付けられていてもよい。
【００３９】
（対応関係）
本発明の第１電力線は本実施形態の引込線１００に相当し、第２電力線は高圧ケーブル１１０に相当する。
【符号の説明】
【００４０】
１…絶縁カバー、３…切割、１０…テープ取付代部、２０…把持部、２２…通し孔、３０…スカート部、４０…帯部、４１…取付孔、５０…スペーサ部、５１…帯部、５２…リブ部、５３…取付孔、１００…引込線、１１０…高圧ケーブル、１１９…電界緩和層、１２０…充電部。
【図１】
2010238402.tif 000003
【図２】
2010238402.tif 000004
【図４】
2010238402.tif 000005
【図５】
2010238402.tif 000006
【図６】
2010238402.tif 000007
【図７】
2010238402.tif 000008
【図８】
2010238402.tif 000009
【図３】
2010238402.tif 000010